(57)【要約】【課題】乳房を固定其の窪みに引き付けて断層撮影を行うことを可能とするＸ線ＣＴ装置、及び撮影に適した乳房固定具を提供する。【解決手段】被検者を載置する寝台と、前記寝台に載置された被検体に放射線源から放射線の照射を行い、放射線検出器で検出する撮影装置と、寝台上に取り付けられ、被検者の乳房撮影のために使用する乳房固定具とを備える。乳房固定具は、被検者がうつ伏せ状態で寝ることができる放射線が透過可能なマット部材と、マット部材の胸部が載る部分に形成され、被検者の乳房を入れることができる一対の椀状の窪みと、窪みに乳房を挿入した状態で窪み内の空気を吸引するための吸引穴と、を備えてなる。【選択図】  図２
2007289326.tif 000002
【特許請求の範囲】
【請求項１】
被検者を載置する寝台と、放射線源及び前記放射線源に対向配置された放射線検出器を含み、前記寝台に載置された被検体に前記放射線源から放射線の照射を行い、前記放射線検出器で検出する撮影装置と、
前記撮影装置の前記寝台上に取り付けられ、被検者の乳房撮影のために使用する乳房固定具とを備え、
前記乳房固定具は、被検者がうつ伏せ状態で寝ることができ放射線が透過可能なマット部材と、このマット部材の被検者の胸部が載る部分に形成され、被検者の乳房を入れることができる一対の椀状の窪みと、この窪みに乳房を挿入した状態で前記窪み内の空気を吸引するための吸引穴を有してなることを特徴とするＸ線ＣＴ装置。
【請求項２】
前記マット部材の底面に、前記乳房固定具を前記寝台に固定するためのアタッチメントを設けたことを特徴とする請求項１記載のＸ線ＣＴ装置。
【請求項３】
被検者の乳房撮影のために使用する乳房固定具であって、
被検者がうつ伏せ状態で寝ることができる放射線が透過可能なマット部材と、
前記マット部材の被検者の胸部が載る部分に形成され、被検者の乳房を入れることができる一対の椀状の窪みと、
前記窪みに乳房を挿入した状態で前記窪み内の空気を吸引するための吸引穴と、を具備してなる乳房固定具。
【請求項４】
前記マット部材は、硬質スポンジで形成されたことを特徴とする請求項３に記載の乳房固定具。
【請求項５】
前記マット部材は、被検者の顔の部分が載る第１の部分と、胸部が載る第２の部分と、腹部以下の下半身が載る第３の部分からなり、
前記第１の部分の厚さが前記第３の部分の厚さよりも大きく、前記第２の部分は、前記第３の部分から第１の部分に向かって厚さが漸増し、前記第２の部分の傾斜面に前記椀状の窪みを形成したことを特徴とする請求項３に記載の乳房固定具。
【請求項６】
前記吸引穴にチューブを挿通し、前記窪みに乳房を挿入した状態で前記チューブを介して吸引ポンブにより前記窪み内の空気を吸引可能にしたことを特徴とする請求項３に記載の乳房固定具。
【請求項７】
前記椀状の窪みの開口部周辺にゴム部材を取付けたことを特徴とする請求項３に記載の乳房固定具。
【発明の詳細な説明】
【技術分野】
【０００１】
本発明は、乳房撮影に適したＸ線ＣＴ装置及び乳房撮影に使用する乳房固定具に関するものである。
【背景技術】
【０００２】
従来、乳房を撮影して乳房画像を得るため、マンモグラフィと呼ばれる撮影装置が使用されている。乳房撮影では、テーブルに載置した乳房にＸ線管からＸ線を照射して撮影を行うが、乳房全体を撮影するため圧迫板を用いて乳房をテーブルに押し付けるようにしている。
【０００３】
特許文献１には、乳房撮影のためのレントゲン診察装置が記載されており、レントゲン管と対物テーブルの間に圧縮プレートを配置し、圧縮プレートをスライド自在にし、圧縮プレートで乳首端部までの胸部全体を均一に圧縮可能にした例が示されている。
【０００４】
しかしながら、マンモグラフィでの撮影では、乳房圧迫による患者の痛みは不可避である。また、マンモグラフィでは乳房を圧迫変形させて撮影を行うために、自然体位での撮影ができないため、例えばがんの診断を行う場合は、がんの位置を正確に特定することができないという欠点がある。
【０００５】
また従来放射線画像撮影装置としてＸ線ＣＴ装置が利用されているが、Ｘ線ＣＴ装置では、その適性の低さから乳がんの検査を目的とした検査はあまり行われていなかった。昨今、Ｘ線ＣＴ装置の高解像度化に伴って、乳がん検査等を目的とした乳房撮影の可能性が高まっているが、寝台に仰向けに寝た通常の撮影方法では、呼吸動、心拍動の影響を大きく受けて、乳がん検査に必要な分解能を得られないという不具合があった。
【特許文献１】特開２００２−２１９１２４号公報
【発明の開示】
【発明が解決しようとする課題】
【０００６】
従来、マンモグラフィでの撮影では、乳房圧迫による患者の痛みは不可避であり、乳房を圧迫変形させて撮影を行うために、自然体位での撮影ができないという欠点がある。また、Ｘ線ＣＴ装置により乳房撮影を行う場合、寝台に仰向けに寝た撮影方法では、呼吸動、心拍動の影響を大きく受けて、乳がん検査に必要な分解能を得られないという不具合があった。
【０００７】
本発明は、上記事情に鑑みて成されたもので、乳房を固定其の窪みに引き付けて断層撮影を行うことを可能とするＸ線ＣＴ装置、及び撮影に適した乳房固定具を提供することを目的とする。
【課題を解決するための手段】
【０００８】
本発明の請求項１記載のＸ線ＣＴ装置は、被検者を載置する寝台と、放射線源及び前記放射線源に対向配置された放射線検出器を含み、前記寝台に載置された被検体に前記放射線源から放射線の照射を行い、前記放射線検出器で検出する撮影装置と；前記撮影装置の前記寝台上に取り付けられ、被検者の乳房撮影のために使用する乳房固定具と；を備え、前記乳房固定具は、被検者がうつ伏せ状態で寝ることができ放射線が透過可能なマット部材と、このマット部材の被検者の胸部が載る部分に形成され、被検者の乳房を入れることができる一対の椀状の窪みと、この窪みに乳房を挿入した状態で前記窪み内の空気を吸引するための吸引穴を有してなることを特徴とする。
【０００９】
また、本発明の請求項３記載の乳房固定具は、被検者の乳房撮影のために使用するものであって、被検者がうつ伏せ状態で寝ることができる放射線が透過可能なマット部材と、前記マット部材の被検者の胸部が載る部分に形成され、被検者の乳房を入れることができる一対の椀状の窪みと、前記窪みに乳房を挿入した状態で前記窪み内の空気を吸引するための吸引穴と、を具備してなることを特徴とする。
【発明の効果】
【００１０】
本発明によれば、乳房固定具を使用して乳房を固定し、呼吸動、心拍動の影響を大きく抑えて断層撮影を行うことができ、乳房撮影時の乳房の痛みを軽減して撮影を行うことができる。また、自然体位に近い伏態で撮影することができるので病変位置を正確に把握することができる。
【発明を実施するための最良の形態】
【００１１】
以下、この発明の一実施の形態について図面を参照して詳細に説明する。
【実施例】
【００１２】
図１は、本発明のＸ線ＣＴ装置の全体構成を示す構成図である。図１においてＸ線ＣＴ装置１０は、架台１１内に放射線源としてのＸ線管、及び放射線検出器（Ｘ線検出器）を含む撮影装置を備え、Ｘ線検出器からのデータをデータ収集部で収集し、収集したデータを処理して画像診断を行うものである。
【００１３】
架台１１には環状の穴部１２が設けられ、被検者を載せた寝台天板１３を矢印ｘ方向に移動することでヘリカルスキャン等を行い、被検者の断層像を得ることができる。一方、２０は乳房固定具であり、寝台天板１３の上に装着可能である。
【００１４】
図２は、乳房固定具２０の詳細な構成を説明する斜視図である。図２に示すように乳房固定具２０は、例えば硬質スポンジで形成されたマット部材２１を有し、被検者はマット部材２１の上にうつ伏せ状態で寝るようにする。マット部材２１は、被検者の顔（顎部）が載る第１の部分２２と、胸部が載る第２の部分２３と、腹部以下の下半身が載る第３の部分２４からなる。第１の部分２２は、第３の部分２４よりも厚さが大きく、第２の部分２３は、第３の部分２４から第１の部分２２に向かって厚さが漸増している。これにより、被検者は固定具２０の上に自然な形でうつ伏せになることができる。
【００１５】
また、第２の部分２３の傾斜面には、被検者がうつ伏せ状態で寝たときに乳房を挿入可能な一対の椀状の窪み３１を設けている。窪み３１の開口周辺部にはゴム部材３２が取付けられている。一方、第２の部分２３の側面には、窪み３１に通じる吸引用の穴３３が設けられ、穴３３にはチューブ３４の一端が挿通可能になっている。
【００１６】
チューブ３４の他端は吸引ポンプ（図示せず）につながり、窪み３１に乳房が挿入された状態で、吸引ポンプで窪み内の空気を吸引することにより、乳房を窪み３１の内部方向に引き付けることができる。ゴム部材３２は、吸引ポンプによる吸引時に窪み３１の開口部から空気が入るのを防ぎ、かつ乳房が固定具２０に当接したときの痛みを軽減する役割がある。
【００１７】
さらに乳房固定具２０の底面には、乳房固定具２０を寝台天板１３の上に固定するためのアタッチメント３５が設けられ、乳房固定具２０を寝台天板１３に位置決めできるようにしている。アタッチメント３５は、Ｘ線撮影に支障がない材料で形成され、乳房固定具２０を寝台天板１３に取付けたときに不用意に動かないようにするものであり、どのような構造であっても良い。
【００１８】
次に、乳房固定具２０の使用方法について説明する。乳房固定具２０は、撮影装置１０の寝台天板１３の上に固定され、被検者は、乳房が窪み３１に入るようにうつ伏せ状態で乳房固定具２０の上に寝る。このとき、被検者の顎が第１の部分２２で受け止められる。
【００１９】
この状態で、吸引ポンプにより窪み３１内の空気を適度に吸引することにより、乳房は穴３３の方向に引き付けられる。そしてこの状態で撮影装置１０は断層撮影を行う。
【００２０】
これにより、乳房は窪み３１内に多少引き伸ばされ、固定された状態で撮影することができる。また、撮影時に被検者は自然体位の形でうつ伏せになれるため、呼吸動、心拍動の影響を低く抑えることができる。しかも、従来のマンモグラフィのように乳房を強く圧迫することがないため、体への負担が小さく、正確に乳がんの位置を特定することができる。
【００２１】
このように本発明によれば、乳房固定員２０を使用して、乳房を固定し、呼吸動、心拍動の影響を大きく抑えて断層撮影を行うことで、乳房撮影時の乳房の痛みを軽減して撮影を行うことができる。また、自然体位に近い伏態での撮影となるため、自然体位でのがんの位置を正確に特定することができる。
【００２２】
尚、特許請求の範囲を逸脱しない範囲内で種々の変形が可能である。
【図面の簡単な説明】
【００２３】
【図１】本発明のＸ線ＣＴ装置の全体構成を示す斜視図。
【図２】同実施形態に使用する乳房固定具の詳細な構成を示す斜視図。
【符号の説明】
【００２４】
１０…Ｘ線ＣＴ装置
１１…架台
１２…穴部
１３…寝台天板
２０…乳房固定具
２３…第１の部分
２３…第２の部分
２４…第３の部分
３１…窪み
３２…ゴム部材
３３…吸引用の穴
３４…チューブ
【図１】
2007289326.tif 000003
【図２】
2007289326.tif 000004